Podtech/llm-jp-corpus-v4-ja_patent huggingface dataset:
(57)【要約】　　　（修正有）【課題】単一のハロゲンランプの発熱装置に較べて整流器を設置する必要がなく、ハロゲンランプの寿命を延長し整流器による火災の発生もなく、また一方で、単一のセラミック発熱装置と比較すると、セラミック発熱によるリード線の切断がなく、寿命が延長される混合式セラミック発熱装置の提供。【解決手段】混合式セラミック発熱装置は、集光カバー、セラミック発熱装置、反射カバー、セラミックプッシュブロックを具えている。集光カバーはセラミック発熱装置の前面に固定され、反射カバーはセラミック発熱装置の後面に固定され、その特徴はセラミック発熱装置にさらにハロゲンランプが連接されたことにある。【選択図】　　　　図１
0003097291.tif 000002
【実用新案登録請求の範囲】
【請求項１】
集光カバー、セラミック発熱装置、反射カバー、セラミックプッシュブロックを具え、集光カバーがセラミック発熱装置の前面に固定され、反射カバーがセラミック発熱装置の後面に固定された混合式セラミック発熱装置において、セラミック発熱装置にハロゲンランプが連接されたことを特徴とする、混合式セラミック発熱装置。
【請求項２】
請求項１に記載の混合式セラミック発熱装置において、ハロゲンランプが水滴形ハロゲンランプとされたことを特徴とする、混合式セラミック発熱装置。
【請求項３】
請求項１に記載の混合式セラミック発熱装置において、ハロゲンランプがＵ形ハロゲンランプとされたことを特徴とする、混合式セラミック発熱装置。
【請求項４】
請求項１に記載の混合式セラミック発熱装置において、ハロゲンランプが円形ハロゲンランプとされたことを特徴とする、混合式セラミック発熱装置。
【考案の詳細な説明】
【０００１】
【考案の属する技術分野】
本考案は一種の発熱装置に係り、特に、混合式セラミック発熱装置に関する。
【０００２】
【従来の技術】
現在市販されている発熱装置には、セラミック発熱装置とハロゲンランプ発熱装置があり、セラミック発熱装置のパワー変換時の発熱によりリード線が切れ易く、寿命が短い。一方、単一使用されるハロゲンランプは整流器で電圧調整しなければならず、パワー転化時に、ハロゲンランプの寿命が短縮され、整流器の過熱により火災を引き起こし易い。
【０００３】
【考案が解決しようとする課題】
本考案は現存の技術の不足を克服した混合式セラミック発熱装置を提供することを課題とし、それは、集光カバー、セラミック発熱装置、反射カバー、セラミックプッシュブロックを具え、集光カバーがセラミック発熱装置の前面に固定され、反射カバーがセラミック発熱装置の後面に固定され、その特徴は、セラミック発熱装置にさらにハロゲンランプが連接されたことにある。これにより単一のハロゲンランプの発熱装置に較べて整流器を設置する必要がなく、ハロゲンランプの寿命を延長し整流器による火災の発生もない。また一方で、単一のセラミック発熱装置と比較すると、セラミック発熱によるリード線の切断がなく、寿命が延長される。
【０００４】
【課題を解決するための手段】
請求項１の考案は、集光カバー、セラミック発熱装置、反射カバー、セラミックプッシュブロックを具え、集光カバーがセラミック発熱装置の前面に固定され、反射カバーがセラミック発熱装置の後面に固定された混合式セラミック発熱装置において、セラミック発熱装置にハロゲンランプが連接されたことを特徴とする、混合式セラミック発熱装置としている。
請求項２の考案は、請求項１に記載の混合式セラミック発熱装置において、ハロゲンランプが水滴形ハロゲンランプとされたことを特徴とする、混合式セラミック発熱装置としている。
請求項３の考案は、請求項１に記載の混合式セラミック発熱装置において、ハロゲンランプがＵ形ハロゲンランプとされたことを特徴とする、混合式セラミック発熱装置としている。
請求項４の考案は、請求項１に記載の混合式セラミック発熱装置において、ハロゲンランプが円形ハロゲンランプとされたことを特徴とする、混合式セラミック発熱装置としている。
【０００５】
【考案の実施の形態】
図１、２中、本考案の混合式セラミック発熱装置は、集光カバー１０、セラミック発熱装置２０、反射カバー３０、セラミックプッシュブロック４０を具え、集光カバー１０がセラミック発熱装置２０の前面に固定され、反射カバー３０がセラミック発熱装置２０の後面に固定され、その特徴は、セラミック発熱装置２０に更にハロゲンランプ５０が固定されたことにある。
【０００６】
図３、４は本考案の混合式セラミック発熱装置の実施例を示し、その特徴は、ハロゲンランプが水滴形ハロゲンランプとされたことにある。
【０００７】
図５、６は本考案の混合式セラミック発熱装置の別の実施例を示し、その特徴は、ハロゲンランプがＵ形ハロゲンランプとされたことにある。
【０００８】
図５、６は本考案の混合式セラミック発熱装置のさらに別の実施例を示し、その特徴は、ハロゲンランプが円形ハロゲンランプとされたことにある。
【０００９】
【考案の効果】
本考案は現存の技術の不足を克服した混合式セラミック発熱装置を提供し、それは、集光カバー、セラミック発熱装置、反射カバー、セラミックプッシュブロックを具え、集光カバーがセラミック発熱装置の前面に固定され、反射カバーがセラミック発熱装置の後面に固定され、その特徴は、セラミック発熱装置にさらにハロゲンランプが連接されたことにある。これにより単一のハロゲンランプの発熱装置に較べて整流器を設置する必要がなく、ハロゲンランプの寿命を延長し整流器による火災の発生もない。また一方で、単一のセラミック発熱装置と比較すると、セラミック発熱によるリード線の切断がなく、寿命が延長される。
【図面の簡単な説明】
【図１】本考案の混合式セラミック発熱装置の断面図である。
【図２】本考案の混合式セラミック発熱装置の分解斜視図である。
【図３】本考案の混合式セラミック発熱装置の実施例の正面図である。
【図４】本考案の混合式セラミック発熱装置の実施例の背面図である。
【図５】本考案の混合式セラミック発熱装置の別の実施例の正面図である。
【図６】本考案の混合式セラミック発熱装置の別の実施例の背面図である。
【図７】本考案の混合式セラミック発熱装置のさらに別の実施例の正面図である。
【図８】本考案の混合式セラミック発熱装置のさらに別の実施例の背面図である。
【符号の説明】
１０　集光カバー
２０　セラミック発熱装置
３０　反射カバー
４０　セラミックプッシュブロック
５０　ハロゲンランプ
【図１】
0003097291.tif 000003
【図２】
0003097291.tif 000004
【図３】
0003097291.tif 000005
【図４】
0003097291.tif 000006
【図５】
0003097291.tif 000007
【図６】
0003097291.tif 000008
【図７】
0003097291.tif 000009
【図８】
0003097291.tif 000010
(57)【要約】　　　（修正有）【課題】溝蓋として降雨時における表層流により削られた土砂の流入を阻止し得られ、また、車道と側溝部とを画然と区画し得るとともに、遊歩道や登山道の景観を損なう虞の無い溝蓋を提供することにある。【解決手段】木製溝蓋として、矩形状の木製部材における一対の対向面に凹部４を削設し、複数の木製部材２を前記凹部が対向するように列設し、これら複数の木製部材２を少なくとも一対の連結材６ａ，６ｂにより固定し、この連結材の取付面の反面側における一側縁に阻止部材７を固定したものである。【選択図】　図２
0003097241.tif 000002
【実用新案登録請求の範囲】
【請求項１】
矩形状の木製部材における一対の対向面に凹部を削設し、複数の木製部材を前記凹部が対向するように列設し、これら複数の木製部材を少なくとも一対の連結材により固定し、この連結材の取付面の反面側における少なくとも一側縁に阻止部材を固定したことを特徴とする木製溝蓋。
【請求項２】
請求項１記載の木製溝蓋において、一対の連結材の端部が木製部材の端面から突出する様に、かつ、突出する方向が一対の連結材において対向する様に固定したことを特徴とする木製溝蓋。
【考案の詳細な説明】
【０００１】
【考案の属する技術分野】
本考案は、木製溝蓋に関し、より詳しくは、山野あるいは公園等に施設される道路の側溝に使用する木製溝蓋に関する。
【０００２】
【従来技術】
公園における遊歩道や山間部における登山道あるいは車道には、雨水を排水するための側溝が設置されるが、この側溝への陥落、転落を防止するために溝蓋が設置されている。ところで、かかる溝蓋としては、従来から耐久性を重視して、格子状あるいは小孔をパンチングプレスしてなる金属製（鉄製）の溝蓋が多用される傾向にある。
【０００３】
日本のような多雨地帯、特に雨の多い山間地域においては、降雨時には上方からの雨水による表層流が踏面や山側の土砂を道の側方へ押し流しながら流れるようになり、表層流により削られた土砂が側溝に流入し、堆積することとなり、側溝としての排水機能を喪失することになり、さらには、公園の遊歩道や登山道のような場合にあっては、無機質な鉄製の溝蓋が周囲との景観にマッチせず、甚だしい場合にあっては景観そのものを損なう虞すら生じる。
【０００４】
さらには、山間地域における車道においても車輌の通行は避け得ないものであるが、側溝に設置された溝蓋部を歩道として利用するとき、車輌の侵入を防止するためには車道と側溝部とを縁石を用いて区画する必要とするものである。
【０００５】
【考案が解決しようとする課題】
本考案は前述の諸点に鑑み、溝蓋として降雨時における表層流により削られた土砂の流入を阻止し得られ、また、車道と側溝部とを画然と区画し得るとともに、遊歩道や登山道の景観を損なう虞の無い溝蓋を提供することにある。
【０００６】
【課題を解決するための手段】
上述の課題を解決するための本考案に係る構成は、矩形状の木製部材における一対の対向面に凹部を削設し、複数の木製部材を前記凹部が対向するように列設し、これら複数の木製部材を少なくとも一対の連結材により固定し、この連結材の取付面の反面側における少なくとも一側縁に阻止部材を固定した点に存する。
【０００７】
【考案の実施の形態】
本考案にかかる溝蓋について図示の実施例に基づいて説明するに、図１に示すように、溝蓋１を構成する木製部材２は、間伐材を用いて矩形状に製材したものであって、四隅のコーナーには面取り３が施されており、この木製部材２の中央部分において一対の対向面に凹部４を削設してなり、該凹部４が隣接する木製部材２の凹部４と対向する様に、言いかえれば、凹部４を削設した結果において形成される凸部４‘が密接する様に木製部材２溝蓋１の所要寸法（長さ）となるように列設するもので、かくして、対向する凹部４によって形成される透孔５が溝蓋１の上面を流下する雨水を、その図示を省略したが側溝に排水する通水孔５となる。
【０００８】
この木製部材２の相互を結合するために一対の連結部材６ａ、６ｂを、従来から固定手段として知られる木ネジ、釘、ボルトとナット等の適宜の手段（図示を省略した。）によって連結する。この時、連結部材６の相互の間隔Ｗは、側溝の開口寸法に適合する様に準備され、また、連結部材６ａ、６ｂの一方のみを木製部材２端面から適宜の長さｂを突出させ、かつ、他方の端部を、前記突出部６ａ’あるいは６ｂ’を収容するに足る充分な長さｃだけ端面より内方に位置させ、言いかえると、連結部材６の一方の端部を突出部６ａ’あるいは６ｂ’として形成することで、他方の端部は木製部材２、即ち、溝蓋１の端面から内方に位置、前記突出部６ａ’あるいは６ｂ’の侵入する空間とすることになる。なお、図示の実施例においては突出部６ａ’あるいは６ｂ’が溝蓋１の対向面において対角線上に設けた例を示すが、同一端面に突出部６ａ’あるいは６ｂ’を反対側に空間ｃを設けるようにすることも可能である。
【０００９】
次いで、連結部材６ａ、６ｂの存在する面の反対面、即ち、溝蓋１の表面側であるが、その一側縁に降雨によって流入する土砂を阻止するため、あるいは、車輌の進入を阻止するための阻止部材７を前述すると同様の固定手段を用いて固定するが、溝蓋１の側縁全長に亘って設置しても良く、図２の実施例において仮想線で示すように溝蓋１の端面に適宜の間隔を空けて設けることも可能で、また、この阻止部材７を溝蓋１の両側縁に設けることも可能である。
【００１０】
以上のような構成を有する溝蓋１において、側溝の開口部に設置するに際して、連結部材６ａ、６ｂの間隔ｗを側溝開口寸法とすることで緊密な嵌着し、溝蓋１を連続して設置するに際しては連結部材６ａ、６ｂの端面から突出している端部を先行して設置している溝蓋１の下方に設けられた空間ｃに潜り込ませるように設置する。これにより、連結部材６ａ、６ｂの端部である突出部６ａ’あるいは６ｂ’が隣接する溝蓋１の下面に潜り込み、側溝に設置した溝蓋１全体が一連のものと構成されることになる。
【００１１】
側溝に設置される溝蓋１の上面に固定された阻止部材７を山の斜面側に位置する様に設置する場合にあっては、降雨時において流出して側溝に流入する土砂を阻止し、また、車道側に位置する様に設置する場合にあっては、側溝上への車輌の進入を阻止することになり、両側に阻止部材７を設置すれば、前述の両機能を発揮することになる。
【００１２】
【考案の効果】
本考案にかかる木製溝蓋によれば、間伐材を矩形に製材し木製部材を列設して連結するとともに、その上面にあるいは車輌の阻止部材を固定することによって、溝蓋によって遊歩道や登山道の景観を損なう虞が無く、溝蓋として降雨時における表層流により削られた土砂の流入を阻止し得られ、また、車道と側溝部とを画然と区画し得るとともに、溝蓋上を歩道として利用しうる等の効果を有するものである。
【図面の簡単な説明】
【図１】本考案の木製部材を示す図である。
【図２】本考案にかかる溝蓋を示す図である。
【符号の説明】
１：溝蓋
２：木製部材
３：面取り部
４：凹部
５：透孔
６ａ、６ｂ：連結部材
７：阻止部材
【図１】
0003097241.tif 000003
【図２】
0003097241.tif 000004
(57)【要約】　　　（修正有）【課題】コストが安く、簡単に取り付け、取り外しが出来、且つ、地震等の振動に対しても簡単にずれ落ちない。【解決手段】書棚等の家具用品の棚受けに使用されるダボ部Ｄに、薄板を逆Ｌ字状に折り曲げ形成した棚外れ防止具１を設け、棚外れ防止具の上面部に両面テープ等の接着部材２を貼着し、側面部にダボの外形寸法に適合した丸穴を設け、棚外れ防止具を嵌挿する。接着部材２の上部に棚を固着して設ける。【選択図】　図３
0003097242.tif 000002
【実用新案登録請求の範囲】
【請求項１】
書棚（Ｈ）等の家具用品の棚受けに使用されるダボ（Ｄ）部に、薄板を逆Ｌ字状に折り曲げ形成した棚外れ防止具（１）を設け、且つ、該棚外れ防止具（１）の上面部に両面テープ等の接着部材（２）を貼着し、且つ、該棚外れ防止具（１）の側面部にダボ（Ｄ）の外形寸法（ｄ）に適合した丸穴（１ａ）を設け、且つ、該丸穴（１ａ）の外周部をＲ形状又は、半円形状に形成した棚外れ防止具（１）をそれぞれのダボ（Ｄ）取り付け部に嵌挿し、且つ、該棚外れ防止具（１）の上面部に貼着した接着部材（２）の上部に棚（Ｓ）を固着して設けた事を特徴とするダボ用棚外れ防止具。
【考案の詳細な説明】
【０００１】
【考案の属する技術分野】
この考案は、地震対策用の書棚等の家具用品に使用されるダボ用棚外れ防止具に関するものである。
【０００２】
【従来の技術】
従来、書棚等の家具用品の棚受け用具には、ダボが良く使用されているが、上方向及び前方向のずれ止めが無いものが多い為、地震等の時には殆どの物が棚から落ちて大変危険である。
【０００３】
又、棚自体もダボの上に水平に置いてあるだけのものが多く、一寸した振動でも棚の上の物や棚自体も簡単に落ちてしまう等、問題が多く対策が必要である。
【０００４】
【考案が解決しようとする課題】
そこで、この考案は従来のダボ式棚受けに対してコストが安く、且つ、誰でも簡単に取り付け、取り外しが出来、且つ、地震等の振動に対しても簡単にずれ落ちないダボ用棚外れ防止具を開発・提供する事にある。
【０００５】
【課題を解決するための手段】
そこで、この考案は従来のダボの外形寸法に合わせた丸穴を有する逆Ｌ字状に折り曲げた棚外れ防止具の側面丸穴部をダボ部に嵌挿し、且つ、棚外れ防止具の上面部に貼着した接着部材の上に棚を固着してずれ落ちない様にしたものである。
【０００６】
【考案の実施の形態】
そこで、この考案の一実施例を図１〜図２に基づいて詳述すると、書棚（Ｈ）等の家具用品の棚受けに使用されるダボ（Ｄ）部に、薄板を逆Ｌ字状に折り曲げ形成した棚外れ防止具（１）を設け、且つ、該棚外れ防止具（１）の上面部に両面テープ等の接着部材（２）を貼着し、且つ、該棚外れ防止具（１）の側面部にダボの外形寸法（ｄ）に適合した丸穴（１ａ）を設け、且つ、該丸穴（１ａ）の外周部をＲ形状又は、半円形状に形成した棚外れ防止具（１）をそれぞれのダボ（Ｄ）取り付け部に嵌挿し、且つ、該棚外れ防止具（１）の上面部に貼着した接着部材（２）の上部に、棚（Ｓ）を固着して設けた事を特徴とするダボ用棚外れ防止具から構成される。
【０００７】
又、従来の家具用品等の棚に使用されているダボ（Ｄ）の外形寸法（ｄ）は各メーカー等によって多少の相違があるが一般的にはφ７〜φ９ｍｍ位までが多い為、棚外れ防止具（１）の丸穴（１ａ）径は１０ｍｍ程度が望ましい。
【０００８】
又、棚外れ防止具（１）上面部の接着部材（２）は粘着性のある両面テープを使用して棚を固着しているが、場合によっては、上面中央部に小穴を明けて、ビス等で固定しても良い。
【０００９】
図３〜図５は、書棚（Ｈ）等の家具用品に使用した場合の使用例を示し、図３は正面図で、図４は図３のａ部拡大詳細図で、図５は図４のａ−ａ矢視図である。
【００１０】
【考案の効果】
従来のダボを使用した棚のダボ部に接着部材付棚外れ防止具を嵌挿し、且つ、該棚外れ防止具の上部に棚を固着する事で地震等の振動に対しても、棚の上の物や棚自体がずれ落ちない
【００１１】
又、構造が簡単な為、コスト的にも安価で、誰でも取り付け、取り外しが可能で、且つ、耐久性のあるダボ用棚外れ防止具である等、極めて有益なる効果を奏するものである。
【図面の簡単な説明】
【図１】この考案の一実施例を示し、（Ａ）は平面図で、（Ｂ）は正面図である。
【図２】この考案の一実施例を示し、図１（Ｂ）のａ−ａ断面図である。
【図３】この考案の使用例を示し、正面図である。
【図４】この考案の使用例を示し、図３のａ部拡大詳細図である。
【図５】この考案の使用例を示し、図４のａ−ａ矢視図である。
【図６】従来の使用例を示し、正面図である。
【符号の説明】
１　棚外れ防止具
１ａ　丸穴
２　接着部材
Ｄ　ダボ
ｄ　ダボ外形寸法
Ｈ　書棚
Ｓ　接着部材
【図１】
0003097242.tif 000003
【図２】
0003097242.tif 000004
【図３】
0003097242.tif 000005
【図４】
0003097242.tif 000006
【図５】
0003097242.tif 000007
【図６】
0003097242.tif 000008
(57)【要約】　　　（修正有）【課題】従来のガラス製陳列棚等に対して、コストが安く、且つ、誰でも簡単に取り付け、取り外しが出来、且つ、地震等の振動に対して簡単にずれ落ちないアームプレート用棚外れ防止構造を開発・提供する事にある。【解決手段】従来のアームプレート形状と板厚に適合した嵌合用溝部と上面部が所定の傾斜角度を有するスペーサー１をアームプレートＰの上部に嵌着し、且つ、該スペーサーの上面部にガラス棚ＧＳを敷設し、且つ、該スペーサーの先端左右突起部の内側にずれ防止用クリップ２を係着し、ガラス棚を固着している。【選択図】　図４
0003097243.tif 000002
【実用新案登録請求の範囲】
【請求項１】
ガラス製の陳列棚等の棚受けに使用される複数の補強用アームプレート（Ｐ）の上部に、上面が所定角度（α）の傾斜面（１ａ）を有し、且つ、下面中央部から先端側面中央部にかけてアームプレート（Ｐ）の上部形状及び板厚寸法（Ｐ１）に適合した所定幅（１ｄ）の溝部（１ｂ）を有し、且つ、先端側面部左右にクリップ（２）止め用の突起部（１ｃ）を有するスペーサー（１）を設け、且つ、該スペーサー（１）の上面部にガラス棚（ＧＳ）を敷設し、且つ、該スペーサー（１）先端側面の突起部（１ｃ）内側角部に正面視形状がほぼ¬形状で右側面視形状がほぼ逆アーチ形状のガラス棚（ＧＳ）ずれ防止用クリップ（２）をそれぞれ係着し、ガラス棚（ＧＳ）を固着して設けた事を特徴とするアームプレート用棚外れ防止構造。
【考案の詳細な説明】
【０００１】
【考案の属する技術分野】
この考案は、地震対策用のガラス製の陳列棚等に使用されるアームプレート用棚外れ防止構造に関するものである。
【０００２】
【従来の技術】
従来、ガラス製の陳列棚等にはガラス棚の受け部に補強用のアームプレートが設けられているが、上方向の止め金具が無く、且つ、表面が滑り易い為、地震等の時には殆どの物が棚から落ちて大変危険である。
【０００３】
又、ガラス棚の取り付けも水平な為、一寸した振動でも棚の上の物やガラス棚自体も簡単に落ちてしまう等、問題が多く対策が必要である。
【０００４】
【考案が解決しようとする課題】
そこで、この考案は、従来のガラス製陳列棚等に対して、コストが安く、且つ、誰でも簡単に取り付け、取り外しが出来、且つ、地震等の振動に対して簡単にずれ落ちないアームプレート用棚外れ防止構造を開発・提供する事にある。
【０００５】
【課題を解決するための手段】
そこで、この考案は従来のアームプレート形状と板厚寸法に適合した嵌合用溝部と上面部が所定の傾斜角度を有するスペーサーをアームプレートの上部に嵌着し、且つ、該スペーサーの上面部にガラス棚を敷設し、且つ、該スペーサーの先端側面左右突起部の内側角部にずれ防止用クリップをそれぞれ係着し、ガラス棚を固着している。
【０００６】
【考案の実施の形態】
そこで、この考案の一実施例を図１〜図３に基づいて詳述すると、ガラス製の陳列棚等の棚受けに使用される複数の補強用アームプレート（Ｐ）の上部に、上面が所定角度（α）の傾斜面（１ａ）を有し、且つ、下面中央部から先端側面中央部にかけてアームプレート（Ｐ）の上部形状及び板厚寸法（Ｐ１）に適合した所定幅（１ｄ）の溝部（１ｂ）を有し、且つ、先端側面部左右にクリップ（２）止め用の突起部（１ｃ）を有するスペーサー（１）を設け、且つ、該スペーサー（１）の上面部にガラス棚（ＧＳ）を敷設し、且つ、該スペーサー（１）先端側面の突起部（１ｃ）内側角部に正面視形状がほぼ¬形状で右側面視形状がほぼ逆アーチ形状のガラス棚（ＧＳ）ずれ防止用クリップ（２）をそれぞれ係着し、ガラス棚（ＧＳ）を固着して設けた事を特徴とするアームプレート用棚外れ防止構造から構成される。
【０００７】
又、従来のガラス製陳列棚の支柱部（Ｓ）から横方向に張り出した補強用アームプレート（Ｐ）の板厚寸法（Ｐ１）は各メーカー等によって多少の相違があるが一般的には２〜３ｍｍ程度の物が多く、スペーサー（１）の溝幅寸法（１ｄ）はそれに適合した寸法（約３ｍｍ程度）で材質は振動を吸収し、摩擦係数が高く滑り難いゴム等の弾性部材が望ましい。
【０００８】
又、この考案に使用したスペーサー（１）は上面部に所定角度（α）の傾斜面（１ａ）を設けて、その上にガラス棚（ＧＳ）を敷設している為、多少の振動ではずれ落ちない様に成っている。
【０００９】
又、更にガラス棚（ＧＳ）自体もスペーサー（１）先端左右の突起部（１ｃ）内側にずれ防止用クリップ（２）を嵌着し、ガラス棚（ＧＳ）の上面をずれ防止用クリップ（２）の¬部（２ａ）でしっかり固着し、浮き上がり防止、兼ずれ落ち防止に成っている。
【００１０】
図４は、この考案の一実施例を示し、従来のガラス製の陳列棚等のアームプレート（Ｐ）部に、この考案の棚はずれ防止具を嵌着したもので、（Ａ）は平面図で、（Ｂ）は正面図で、（Ｃ）は左側面図である。
【００１１】
【考案の効果】
従来のガラス製の陳列棚等の補強用アームプレート（Ｐ）上部に、所定の傾斜角度（α）と、アームプレート上部の形状と板厚寸法（Ｐ１）に適合した溝部（１ｂ）と、先端側面左右にクリップ止め用の突起部（１ｃ）を有するスペーサー（１）を嵌着し、且つ、該スペーサー（１）の上面部にガラス棚（ＧＳ）を敷設し、且つ、該スペーサー（１）の先端左右突起部内側角部に正面視形状がほぼ¬形状で右側面視形状がほぼ逆アーチ形状のガラス棚（ＧＳ）ずれ防止用クリップ（２）をそれぞれ係着し、ガラス棚（ＧＳ）を固着する事で、地震等の耐震効果が発揮出来る。
【００１２】
又、構造が簡単な為、コスト的にも安価で、誰でも取り付け、取り外しが可能で、且つ、耐久性のあるアームプレート用棚外れ防止具である等、極めて有益なる効果を奏するものである。
【図面の簡単な説明】
【図１】この考案の一実施例を示し、（Ａ）はスペーサーの平面図で、（Ｂ）は正面図で、（Ｃ）は右側面図である。
【図２】この考案の一実施例を示し、（Ａ）は図１（Ｂ）のａ−ａ断面図で、（Ｂ）は図１（Ｂ）のｂ−ｂ断面図である。
【図３】この考案の一実施例を示し、（Ａ）はクリップの平面図で、（Ｂ）は正面図で、（Ｃ）は右側面図である。
【図４】この考案の使用例を示し、（Ａ）は平面図で、（Ｂ）は正面図で、（Ｃ）は左側面図である。
【図５】従来例を示し、（Ａ）は平面図で、（Ｂ）は正面図で、（Ｃ）は左側面図である。
【符号の説明】
１　スペーサー
１ａ　傾斜面
１ｂ　溝部
１ｃ　突起部
１ｄ　溝部の幅寸法
２　クリップ
２ａ　クリップの¬部
Ｓ　支柱
ＧＳ　ガラス棚
Ｐ　アームプレート
Ｐ１　アームプレートの板厚寸法
α　傾斜角度
【図１】
0003097243.tif 000003
【図２】
0003097243.tif 000004
【図３】
0003097243.tif 000005
【図４】
0003097243.tif 000006
【図５】
0003097243.tif 000007
(57)【要約】【課題】照明用懐中電灯に照明以外の用途を提供する。【解決手段】本体１０、延伸体２０、枢接体３０等が含まれ、本体１０の前端の光源投射エリア１１には冷光光源発生器１２が設置されている。後端には電池１４によって電源が供給されて照明光源が発生するが、ＬＥＤが発生する光源の温度は消火器の薬液の蒸発を引き起こさない。本体１０の末端には電池１４を供給電源とするブザー１５が設けられ、適当個所にはそれぞれ光源のボタンスイッチ１３及びブザー１５のスイッチ１６が設けられている。延伸体２０はやや長い中空の筒状であり、その枢接エリア３２後端のエリア面には無毒無臭の消火薬液を中空筒２５内に充填する充填孔２４が設けられ、延伸体２０の末端にはノズルヘッド２１が設けられている。ノズルヘッド２１の対応端にはスイッチ２３が設けられ、スイッチ２３を押すことによって中空筒２５内の消化薬液を噴出させ、鎮火の効果が達成される。【選択図】　　図１
0003097249.tif 000002
【実用新案登録請求の範囲】
【請求項１】
本体、延伸体、枢接体を備え、
本体の前端は屈折反射板が設けられている光源投射エリアであり、エリアの末端には光源発生器が設置され、本体内は電池が設置されているエネルギーエリアであり、本体の末端にはブザーが設けられ、本体の所定個所にはランプのスイッチ及びブザースイッチが設けられ、
延伸体はやや長い中空の筒であり、それの前端は内ねじが設けられてある枢接エリアで、エリア面には充填孔が設けられ、中空筒内には消火薬液が充填され、ほかに末端の外側壁には中空筒体と導通するノズルヘッドが設けられ、それの対応端にはボタンスイッチが設けられ、それの最末端には中空筒内の薬液容量を測定する圧力メータが設けられ、
枢接体の前後端の周面にはともにねじが設けられ、それぞれ本体末端の枢接エリア及び延伸体の前端の枢接エリアとねじ付けられて本体と延伸体とは一体に連結され、その枢接体に枢接組が設けられること、よって本体は照明の角度を任意に調整可能とされ、同時に消火及び照明の機能を有することを特徴とする多機能消火照明構造。
【考案の詳細な説明】
【０００１】
【考案の属する技術分野】
本考案は、多機能消火照明構造に関する。
【０００２】
【従来の技術】
伝統的な照明用懐中電灯は使用者に照明の用途を提供する。
【０００３】
【考案が解決しようとする課題】
伝統的な照明用懐中電灯は使用者に照明の用途を提供するだけで、その他の機能は見たことがない。消防士は火災現場に於いてヘッドランプによって火の元を探し、それから鎮火を行うのが一般である。また懐中電灯の電球の熱が消火器と結合すると消火薬液は揮発し、緊急時は消火作用が達成できなくなる。
【０００４】
したがって本考案の目的は、照明用懐中電灯に照明以外の用途を提供することにある。
【０００５】
【課題を解決するための手段】
上述の目的を達成するために本考案の請求項に記載の多機能消火照明構造は、多機能消火照明構造の一種であって、本体、延伸体、枢接体を備える。
本体の前端は屈折反射板が設けられている光源投射エリアであり、エリアの末端には光源発生器が設置される。本体内は電池が設置されているエネルギーエリアであり、本体の末端にはブザーが設けられ、また本体の適当個所にはそれぞれランプのスイッチ及びブザースイッチが設けられている。
【０００６】
延伸体はやや長い中空の筒であり、それの前端は内ねじが設けられてある枢接エリアで、エリア面には充填孔が設けられている。中空筒内には消火薬液が充填され、ほかに末端の外側壁には中空筒体と導通するノズルヘッドが設けられ、それの対応端にはボタンスイッチが設けられる。それの最末端には中空筒内の薬液容量を測定する圧力メータが設けられている。
【０００７】
枢接体、それの前後端の周面にはともにねじが設けられ、それはそれぞれ本体末端の枢接エリア及び延伸体前端の枢接エリアとねじ付けて本体と延伸体は一体に連結される。その枢接体には枢接組が設けられ、それによって本体は照明の角度を任意に調整可能となり、同時に消火及び照明の機能を有する。
【０００８】
【考案の実施の形態】
以下、本考案の実施例を図面に基づいて説明する。
本実施例は本体１０、延伸体２０、枢接体３０等部材が含まれる。その本体１０の前端にはランプの光の屈折反射板に供される光源投射エリア１１が設けられ、その光源投射エリア１１の末端にはＬＥＤを光源とした冷光光源発生器１２が設置されている。それの後端には電池１４によって電源が供給されて照明光源が発生するが、ＬＥＤが発生する光源の温度は消火器の薬液の蒸発を引き起こさない。本体１０の末端には電池１４を供給電源とするブザー１５が設けられ、本体１０の適当個所にはそれぞれ光源のボタンスイッチ１３及びブザー１５のスイッチ１６が設けられている。ほかに本体１０最末端の内ねじが設けられてある枢接エリア３１と枢接体３０の一端のねじ、延伸体２０の前端に内ねじが設けられてある枢接エリア３１と枢接体３０の他端のねじは本体１０及び延伸体２０を一体に結合することが可能である。また枢接体３０には枢接組３３が設けられ、それによって本体１０は任意に角度を調整可能で、それの外周は伸縮ゴム３５をもって覆い包まれる。
【０００９】
延伸体２０はやや長い中空の筒状であり、その枢接エリア３２後端のエリア面には無毒無臭の消火薬液を中空筒２５内に充填する充填孔２４が設けられ、延伸体２０の末端には中空筒２５と導通するノズルヘッド２１が設けられている。そのノズルヘッド２１の対応端にはスイッチ２３が設けられ、スイッチ２３を押すことによって中空筒２５内の消化薬液を噴出させ、鎮火の効果が達成される。その延伸体２０の最末端には中空筒２５内の薬液容量を測知する圧力メータ２２が設けられ、このような構造によって火災発生時は第一時間で火の元を消火することが可能で、かつ煙が蔓延して見えない場合は照明設備によって出口を探し出し、火災現場から離脱することが可能である。ブザー１５は危険時に音を出し、他人の注意を引き付けて救援の目的が達成され、または不法者が侵入した場合は防衛武器として傷害を減ることが可能である。
【図面の簡単な説明】
【図１】本考案の一実施例による多機能消火照明構造を示す平面図である。
【符号の説明】
１０　　本体
１１　　光源投射エリア
１２　　光源発生器
１３　　ボタンスイッチ
１４　　電池
１５　　ブザー
１６　　ボタンスイッチ
２０　　延伸体
２１　　ノズルヘッド
３０　　枢接体
３１　　枢接エリア
２２　　圧力メータ
２３　　スイッチ
２４　　充填孔
２５　　中空筒
３２　　枢接エリア
３３　　枢接組
３４　　ピン
３５　　伸縮ゴム
【図１】
0003097249.tif 000003
(57)【要約】　　　（修正有）【課題】一時的にドアー上枠又は鴨居等にハンガーあるいは物干しのピンチハンガーなどを安易に安定して吊り下げることが出来る。【解決手段】ドアー上枠４あるいは鴨居の部屋の内そとの壁より出張る部分チリ５にフック受け器具１を懸垂で渡るように掛けて使い、ハンガー６あるいは物干しのピンチハンガーなどを安易に吊り下げることが出来るようにし、ツメの間隔は可塑性を有する弾性材で手にて調整が出来る材質とし、またフック受け器具１全体からみると三次元の曲げものとして二方向、並行と直交方向にも対応を可能にした。【選択図】図６
0003097212.tif 000002
【実用新案登録請求の範囲】
【請求項１】
可塑性をもつ弾性材の直材中央部をフックが掛けられる形状にまげ材両端部にツメを内側の更にフックが掛けられる形状とツメ形状をそれぞれ面としたときツメの面はフックが掛けられる形状面上にはなく、ある交点に向いたハの字となり突出して設けると左右対称一対のツメをもつ三次元の曲げ物になる、そのツメの間は可塑性変形をつかい適度に調整してドアー上枠あるいは鴨居の壁より出張る枠等の部分チリへ直交と並行の二方向へ吊り下げることを可能にしたハンガー等フック受け器具である。
【考案の詳細な説明】
【０００１】
【考案が属する技術分野】
本考案はドアー上枠あるいは鴨居、付鴨居の壁より出張る部分チリに掛止め出来るフック受け器具に関するものである。
【０００２】
【従来の技術】
衣類の虫干しあるいはアイロン掛け時のハンガーまたは雨天時の物干に、ピンチハンガー等のフックを開放されたドアー上枠あるいは鴨居の壁より出張る部分チリに直に掛けて干していた。
【０００３】
【考案が解決しようとする課題】
ハンガーあるいは物干しのピンチハンガーのフックを開放されたドアー上枠あるいは鴨居の壁より出張る部分チリに掛止めて室内干しをしていたのだが、近年アパート、マンション等はとみにドアー上枠あるいは鴨居の壁より出張る部分チリが狭くなりフックの掛かり代がちいさくなり下げ物に微風程度の力による回転でもフックが外れ落下し干し物を汚すことになる。現在フックを安易に掛ける事の出来る洋折釘・洋灯吊・シートン等の金物はあるがその止め方は先端に木ネジがあり枠、鴨居に捻じ込む方法であるため枠の表面に疵となり設置ヶ所を替えると疵あとの数を増すことになる。あるいは室内にロープを張りめぐらせる、又は室内干しの物干し台などあるが、いずれも設置とあと片付けに時間的・労力的負担大である。
【０００４】
【課題を解決するための手段】
本考案は室内干しをする時に開放されたドアー上枠あるいは鴨居の部屋の内側と外側の壁より出張る部分チリにフック受け器具を懸垂で渡るように枠に直交方向に掛止めて使う方法と、開放使用ができないドアーまたは戸・襖・障子等には片側、枠と並行に掛けて使用することも出来る、ドアーの場合は開き勝手側の反対側での使用になるが本考案を常設で使うことも可能にした。
【０００５】
【考案の実施の形態】
フック受け器具の使い方は戸・障子・ドアー等の開放時に上枠・鴨居へ直交方向に懸垂で渡るように壁より出張る部分チリにツメで吊り下げ掛止めして使う、使用後は開け閉てのため取り外す、その方法は弾性変形を利用し枠より広めに拡げるだけで瞬時にはずせる。枠・鴨居に並行しての使用は戸・障子・ドアー等開け閉ても可能、ただしドアーの場合は開閉側でない反対側となる、付鴨居・付長押に並行使用時もツメの間は壁厚よりやや狭くした程度が適当であるが、以上以下でも使用は可能である。
【０００６】
【実施例】
以下添付図に従って実施例を説明する。４ドアー上枠に１フック受け器具を直交方向に懸垂で渡るように枠に使うとき１フック受け器具の２ツメは一対の鈎として使い、２ツメの間はドアー上枠にとりあう８壁厚より可塑性変形を利用し拡げ、またはつぼめたりすることでやや狭くしておき、つぎに弾性変形を使い４ドアー上枠の幅をクリヤーして壁より出張る部分５チリに吊り下げ掛止めする、７ドアーの開け閉て時には４ドアー上枠に並行しての使用と付鴨居・付長押に使用時の２ツメの間は壁厚よりやや狭い程度が適当であるが、以上以下でも使用は可能である。
【０００７】
【考案の効果】
本考案は上枠・鴨居へ直交方向に懸垂で渡るように壁より出張る部分チリにツメで吊り下げ掛止めして使う、雨天時の室内干し、洗濯物をピンチハンガーに留めるまでの仮吊り下げ、人寄せの時にコート掛けなど並べて使い、ドアー上枠又は鴨居等幅が変っても可塑性変形を利用して手で容易に拡げ或いは狭めることで対応でき、着脱も弾性変形を利用し瞬時にでき後片付けも時間的・労力的な無駄がはぶけ、枠へ疵を付けることもない、さらに一本のフック受け器具の耐加重を越えるときには重ねて使うことにより耐加重をあげることが出来る。開放使用のむずかしいドアー・戸障子の枠には片側に下げて使うことも出来この場合取り付けたまま常設で使用することも可能である。
【図面の簡単な説明】
【図１】本考案の正面図である。
【図２】正面図を上から見おろした見下図である。
【図３】正面図を横より見た側面図である。
【図４】ドアーが閉鎖時においても掛けておくことが出来る例を示した図である。
【図５】開放時にはドアー上枠又は鴨居等に掛けてより安定した使用方法を示した図である。
【図６】本考案の二方向使用とドアー上枠との取り合い断面図を人が見たときにみえる絵の合成図である。
【符号の説明】
１　　　　　ハンガー受け器具
２　　　　　ツメ
３　　　　　フック受け部
４　　　　　ドアー上枠
５　　　　　チリ
６　　　　　ハンガー
７　　　　　ドアー
８　　　　　壁厚
９　　　　　ドアー竪枠
【図１】
0003097212.tif 000003
【図２】
0003097212.tif 000004
【図３】
0003097212.tif 000005
【図４】
0003097212.tif 000006
【図５】
0003097212.tif 000007
【図６】
0003097212.tif 000008
(57)【要約】【課題】重量のより軽量化を図ると共に、加工性に優れて高精度を維持でき、使用感・音響が良好な桶胴太鼓を提供する。【解決手段】桶胴づくりの胴部２を桐材１で形成したことを特徴とするものであり、胴部２を形成する桐材１は柾目板で、板厚は８ｍｍから９ｍｍに薄くしたものが好適である。【選択図】図２
0003097219.tif 000002
【実用新案登録請求の範囲】
【請求項１】
桶胴づくりの胴部を桐材で形成したことを特徴とする桶胴太鼓。
【請求項２】
胴部を形成する桐材は柾目板で板厚を８ｍｍから９ｍｍとした請求項１記載の桶胴太鼓。
【考案の詳細な説明】
【０００１】
【考案の属する技術分野】
本考案は、太鼓に関するものであり、詳しくは、太鼓の中でも最も軽量である桶胴太鼓に関するものである。
【０００２】
【従来の技術】
従来の桶胴太鼓は、杉材の板を用いることによって、太鼓の軽量化を図っているのである。
又、他の太鼓において使用される原木は、楠、栓、栃、栗、桜、唐木、欅やタモが実開昭５６ー６０９８７、実開平３ー７１３９３或いは特開２００２ー１４９１５４等に例示されている。
【０００３】
【考案が解決しようとする課題】
桶胴太鼓は、上述のように太鼓の中では最も軽量であるけれど、近年はストラップで肩から吊り下げ、自由に動きながら演奏する「かつぎ桶」が盛んで、その活動は子供にも広がっているのである。
【０００４】
そのため、携帯して動きが自由容易となる桶胴太鼓が要望されていることに鑑み、本考案は重量のより軽量化を図ると共に、加工性に優れて高精度を維持でき、使用感・音響が良好な桶胴太鼓を提供せんとするものである。
【０００５】
【課題を解決するための手段】
本考案は、桶胴づくりの胴部を桐材で形成したことを特徴とするものであり、胴部を形成する桐材は柾目板で、板厚は８ｍｍから９ｍｍに薄くしたものが好適である。
【０００６】
桐の気乾比重は０．１９〜０．２９であり、国産材の中では最も軽量で軟らかく、ちなみに従来の杉材の気乾比重は０．３８〜０．４５である。
したがって、杉材に比べても軽量化が図られ、より加工が容易であり、収縮膨張が小さいため狂いが少なく、高精度を維持できるのである。
【０００７】
又、胴部を形成する桐材を柾目板とすることで音の走りを良くし、遠距離まで音が届き、屋外での使用機会が多い桶胴太鼓の使用態様に応えられ、加工性が優れているため板厚を従来より薄くする加工が可能となり、より軽量化を期待できるものである。
【０００８】
【考案の実施の形態】
次に、本考案の一実施の形態を説明する。
本考案の桶胴太鼓の製造方法は、先ず桐の木の原木を用意し、原木の皮を剥ぎ、木取りを行う。
木取りは柾目取りとし、乾燥後に所定の長さに切断して胴部を形成する板材を得る。
【０００９】
板材は鉋で丸みをつけ、側面を内角に削って成形した桐材１を桶状に組み、真竹で編んだタガ３をはめて締め付ける。
そして、このようにして形成した胴２の両面に当てた革をロープで締め上げ、桶胴太鼓とするものである。
【００１０】
桐材は軽軟であるため、従来から使用している杉材と同様の加工を容易に行える。
図３の比較表は、胴の内径、外径及び高さを同じ仕様とした杉材と桐材を用いて形成した胴の重量を示し、木材の使用部位によって木理・密度に差異があり、個体によって多少の振幅があるため、各重量は平均値である。
桐材１を用いることによって、胴２の一層の軽量化を図れるのである。
【００１１】
桐製の桶胴太鼓は使用感・音響共に極めて良好であり、胴の板厚を通常（１０ｍｍ〜１０．５ｍｍ）の厚みより、更に１〜２ｍｍ薄くすることも可能であり、その場合の音響には影響が認められず、更なる軽量化を図れた。
【００１２】
【考案の効果】
以上のように、本考案は従来の太鼓において使用された実績がなく、かつ選択対象となっていない木材である桐材を用いて太鼓の胴部を形成したため、桶胴太鼓の一層の軽量化を極めて良好な音響と共に達成できる効果を発揮できたものである。
【００１３】
更に、加工性に優れ、収縮膨張が小さく、長期間狂いの生じない高精度の太鼓と成り、使用感も良好である。
又、国産材としての供給も充分に得られ、量産も可能であるから価格も杉材製と同程度に抑えられるものである。
【図面の簡単な説明】
【図１】本考案の胴部を形成する桐材の斜視図である。
【図２】本考案の胴部の斜視図である。
【図３】本考案の桶部と従来の桶部との重量比較表である。
【符号の説明】
１　桐材
２　胴
３　タガ
【図１】
0003097219.tif 000003
【図２】
0003097219.tif 000004
【図３】
0003097219.tif 000005
【手続補正書】
【提出日】平成15年6月6日(2003.6.6)
【手続補正１】
【補正対象書類名】明細書
【補正対象項目名】実用新案登録請求の範囲
【補正方法】変更
【補正の内容】
【実用新案登録請求の範囲】
【請求項１】
長さ方向の中央部に行くにしたがって巾広で、長さ方向及び巾方向に内側へ丸みを有し、かつ長さ方向の側面を内角に削った桐材を樋状に組み、タガで締着した胴部としたことを特徴とする桶胴太鼓。
【請求項２】
胴部を形成する桐材は柾目板で板厚を８ｍｍから９ｍｍとした請求項１記載の桶胴太鼓。
【手続補正２】
【補正対象書類名】明細書
【補正対象項目名】０００５
【補正方法】変更
【補正の内容】
【０００５】
本考案は、長さ方向の中央部に行くにしたがって巾広で、長さ方向及び巾方向に内側へ丸みを有し、かつ長さ方向の側面を内角に削った桐材を樋状に組み、タガで締着した胴部としたことを特徴とするものであり、胴部を形成する桐材は柾目板で板厚を８ｍｍから９ｍｍに薄くしたものが好適である。
(57)【要約】　　　（修正有）【課題】コピー機の無い出先の打ち合わせ現場にて、ノートパッドで手軽に複写を作る。【解決手段】ノーカーボンレポートパッドは、中身をノーカーボン紙の中用紙１にして、端２をセット糊で接着し乾燥後、表紙を付け目的の構造にする。任意の枚数を組で剥がしてボールペンで書くと複写する。また、任意の複写枚数の下に下敷きを挟んでボールペンで書くと複写する。こうすることにより、コピー機の無い出先の打ち合わせ現場で手軽に複写が作れる。又、従来の組み合わせが決まっているノーカーボン紙のノートパッドと違い、６枚くらいまでの任意の枚数で複写が一度に作れる。【選択図】図２
0003097206.tif 000002
【実用新案登録請求の範囲】
【請求項１】
ノートパッドの中身をノーカーボン中用紙を重ね端をセット糊で接着し、どこからでも組で剥がせて複写出来るノートパッド。
【考案の詳細な説明】
【０００１】
【考案の属する技術分野】
この考案は、ノートパッドの中身をノーカーボン中用紙を重ね端をセット糊で接着し、どこからでも組で剥がせて複写出来るノートパッドの構造に関する物である。
【０００２】
【従来の技術】
レポートパッドやセクションパッド等の普通紙のノートパッドはカーボン紙をはさんで複写を取っていた。又は、コピー機で複写を取っていた。
【０００３】
従来のノーカーボン紙のノートパッドは、中身の紙が上用、中用、下用等の組み合わせが決まっており、決められた組み合わせで決められた複写枚数を使用していた。
【０００４】
【考案が解決しようとする課題】
従来のレポートパッドやセクションパッド等の応用パッドはカーボン紙やコピー機が無いと複写出来ないので不便である。
【０００５】
従来のノーカーボン紙のパッドは、決められた組み合わせでしか使用出来ない。
【０００６】
【課題を解決するための手段】
応用パッドの中身をノーカーボン中用紙を重ね端をセット糊で接着した構造にする。
こうすることにより、どこからでも組ではがせて複写出来るノートパッドが出来る。
【０００７】
【考案の実施の形態】
上記考案で製作したノーカーボンレポートパッドを例に説明する。
ノーカーボンレポートパッドは、中身をノーカーボン紙の中用紙（１）にして、端（２）をセット糊で接着し乾燥後、表紙を付け目的の構造にする。
【０００８】
任意の枚数を組ではがしてボールペンで書くと複写する。
また、任意の複写枚数の下に下敷きを挟んでボールペンで書くと複写する。
【０００９】
【考案の効果】
こうすることにより、コピー機の無い出先での打ち合わせ現場で手軽に複写が作れる。
【００１０】
又、従来の組み合わせが決まっているノーカーボン紙のノートパッドと違い、６枚くらいまでの任意の枚数で複写が一度に作れる。
【図面の簡単な説明】
【図１】本考案の実施例の表紙貼りつけ前の中身の断面図である。
【図２】本考案の実施例の斜視図である。
【符号の説明】
１　ノーカーボン紙の中用紙
２　セット糊接着部
３　裏表紙
【図１】
0003097206.tif 000003
【図２】
0003097206.tif 000004
(57)【要約】　　　（修正有）【課題】人体側面のカーブに沿って、前後に動く過程において、各ローラーの凹状表面により、人体側面のカーブを通過して連続回転する時、高低の異なった、中心が偏った回転をすることで、手揉み感覚のマッサージ効果が得られるマッサージ装置の手揉み感覚ローラーを提供する。【解決手段】マッサージ装置の手揉み感覚ローラーは、動かされて往復運動する従動ユニット２に突出した主軸棒２１があり、その両端には、それぞれ各一組の、両方の外側の端にそれぞれローラー２３Ｂが取り付けられた副軸棒２２が固定されて、構成されたローラー式マッサージマットの構造である。各ローラーの固定穴２３ＢＢは、そのローラー面の中心点を離れて偏った中心を持っていて、このため、ローラーユニットはこの副軸棒を軸として動く。【選択図】　　図１
0003097202.tif 000002
【実用新案登録請求の範囲】
【請求項１】
動かされて往復運動する従動ユニットに突出した主軸棒があり、その両端には、それぞれ各一組の、両方の外側の端にそれぞれローラーが取り付けられた副軸棒が固定されて、構成されたローラー式マッサージマットの構造であり、各ローラーの固定穴は、そのローラー面の中心点を離れて偏った中心を持っていて、このため、ローラーユニットはこの副軸棒を軸として動き、人体側面のカーブに沿って、前後に動く過程において、各ローラーの凹状表面により、人体側面のカーブを通過して連続回転する時、高低の異なった中心が偏った回転をすることで、手揉み感覚のマッサージ効果が得られるという特長を持つ、マッサージ装置の手揉み感覚ローラー。
【考案の詳細な説明】
【０００１】
【考案の属する技術分野】
本考案はマッサージ装置の手揉み感覚ローラーに関する。本考案のマッサージ装置の手揉み感覚ローラーは、動かされて往復運動する従動ユニットに突出した主軸棒があり、その両端には、それぞれ各一組の、両方の外側の端にそれぞれローラーが取り付けられた副軸棒が固定されて、ローラー式マッサージマットを構成している。そのうち、各ローラーの固定穴は、そのローラー面の中心点を離れて偏った中心を持っていて、このため、ローラーユニットが人体側面のカーブ部分を通過して連続回転する時、高低の異なった、中心が偏った回転をすることで、手揉み感覚のマッサージ効果が得られるという特長がある。
【０００２】
【従来の技術】
椅子やマット内部に取り付けられて、背中のマッサージに使用されるマッサージ装置は、往復運動する駆動装置がいかなるものであれ、たいてい、駆動装置の動きを受けて動く従動ユニット２（図１、図２を参照されたい）、その側面の主軸棒２１の中段に固定された副軸棒２２、そして、この連動によって動く、副軸棒２２に取り付けられた両端のローラー２３Ａからなる。これらのローラー２３は従動ユニットによって動かされて、副軸棒２２を軸として往復移動する。そして、人体のカーブに沿って前後に移動する。各ローラーが人体の部位を通過する連続回転することにより、寝たり、もたれたりした時の背中部分に、指で指圧するような押しや連続移動によって、マッサージ効果を達成する。
【０００３】
【考案が解決しようとする課題】
しかしながら、従来のローラー２３Ａ（図４を参照されたい）は、その中央に設けられた固定穴２３ＡＡに副軸棒２２が中心を貫く形で挿入されている。したがって、ローラー２３Ａは正常の軸中心式の連続回転を行ない、人体の部位をただ連続して機械的回転をするのみで、人の手による揉み、押し、ほぐし等のマッサージ感覚とはほど遠いものがある。
【０００４】
【課題を解決するための手段】
本考案のマッサージ装置の手揉み感覚ローラーは、動かされて往復運動する従動ユニットに突出した主軸棒があり、その両端には、それぞれ各一組の、両方の外側の端にそれぞれローラーが取り付けられた副軸棒が固定されて、構成されたローラー式マッサージマットの構造である。各ローラーの固定穴は、そのローラー面の中心点を離れて偏った中心を持っていて、このため、ローラーユニットはこの副軸棒を軸として動く。そして、人体側面のカーブに沿って、前後に動く過程において、各ローラーの凹状表面により、人体側面のカーブを通過して連続回転する時、高低の異なった、中心が偏った回転をすることで、手揉み感覚のマッサージ効果が得られるという特長がある。
【０００５】
【考案の実施の形態】
図１および図２を参照されたい。本考案のマッサージ装置の手揉み感覚ローラーは、動かされて往復運動する従動ユニット２に突出した主軸棒２１があり、その両端には、それぞれ各一組の、両方の外側の端にそれぞれローラー２３Ｂが取り付けられた副軸棒２２が固定されて、構成された各種タイプのローラー式マッサージマットの構造である。
各ローラーの固定穴２３ＢＢは、そのローラー面の中心点を離れて偏った中心を持っていて、このため、図３に示すように、ローラー２３Ｂはこの副軸棒２２を軸として動く。そして、人体側面のカーブに沿って、前後に動く（図３に示した動きを示す矢印Ｈ１、Ｈ２）過程において、各ローラー２３Ｂの凹状表面により、人体側面のカーブを通過して連続回転する時、高低の異なった、中心が偏った回転（図３に示した複動式仮想線Ｒ１、Ｒ２）をすることで、手揉み感覚の押し、揉み、ほぐし等の質の高い、自然で気持ちのよいマッサージ効果が得られるという特長がある。
【０００６】
【考案の効果】
本考案のマッサージ装置の手揉み感覚ローラーは、ローラー式マッサージ装置の各ローラーの固定穴が、そのローラー面の中心点を離れて偏った中心を持っていて、このため、ローラーユニットはこの副軸棒を軸として動く。そして、人体側面のカーブに沿って、前後に動く過程において、各ローラーの凹状表面により、人体側面のカーブを通過して連続回転する時、高低の異なった、中心が偏った回転をすることで、手揉み感覚の押し、揉み、ほぐし等の質の高い、自然で気持ちのよいマッサージ効果が得られるという特長がある。
【図面の簡単な説明】
【図１】本考案のローラーを備えたマッサージ装置の立体構造の説明図（Ａ）およびローラーの平面図（Ｂ）である。
【図２】本考案のローラーを備えたマッサージ装置の立体構造図である。
【図３】本考案のローラーの作用説明図である。
【図４】従来のローラーの平面説明図である。
【符号の説明】
２　　　従動ユニット
２１　　主軸棒　　　　　　　　　　　２２　　　　副軸棒
２３Ａ　ローラー（従来のもの）　　　２３ＡＡ　　　固定穴
２３Ｂ　ローラー（本考案のもの）　　２３ＢＢ　　　固定穴
Ｒ１、Ｒ２　　　複動式仮想線
Ｈ１、Ｈ２　　　動きを示す矢印
【図１】
0003097202.tif 000003
【図２】
0003097202.tif 000004
【図３】
0003097202.tif 000005
【図４】
0003097202.tif 000006